Podtech/llm-jp-corpus-v4-ja_patent huggingface dataset:
(57)【要約】      （修正有）【課題】折り畳み傘を１本ずつ収納でき、タペストリーの長さによって複数の傘を収納できる折り畳み傘収納掛け具を提供する。【解決手段】壁掛け（タペストリー）に折り畳み傘を１本ずつ収納でき、傘の収納袋部２の中央に窓４があり、傘の色・柄が一目でわかることを特徴とする。１本ずつの収納なので傘の出し入れが簡単である。壁掛け式なので場所をとらず、インテリアになりおしゃれである。タペストリー１の長さを変えることにより、傘入れ収納袋部を多数設けることが出来る。【選択図】図１
0003171899.tif 000002
【実用新案登録請求の範囲】
【請求項１】
タペストリー（壁掛け）面に折り畳み傘を１本ずつ収納する収納袋を複数並列に配置し、各収納袋部の両端は開口して傘出し入れ口となり、中身の傘の色や柄が一目で分かるようにし、タペストリーの対向しあう上下（又は角）にフック掛け穴を設けることを特徴とする折り畳み傘収納掛け具。
【考案の詳細な説明】
【０００１】  本考案は、折り畳み傘を１本ずつ収納でき、タペストリーの長さによって複数の傘を収納できる折り畳み傘収納掛け具に関するものである。
【背景技術】
【０００２】  従来、長傘を収納するには、傘立てが有りますが、折り畳み傘を収納するには、無造作に下駄箱の上・下駄箱の中のフック等に数本まとめて吊るしていた。
【考案の開示】
【考案が解決しようとする課題】
【０００３】  そのために次のような問題点があった。
（イ）長傘には傘立てがある。折り畳み傘入れはないこと
（ロ）下駄箱等の上に無造作に置かれたりして見た目によくない。
（ハ）下駄箱内のフック等に数本まとめて吊るすと、１本取り出すのに全部取り出さないとできない不便さがあった。
（ニ）壁掛け式にして、収納袋を多数設けるとことにより折り畳み傘を数本収納できる。
【課題を解決する手段】
【０００４】    タペストリー（壁掛け）面に折り畳み傘を１本ずつ収納する収納袋部を複数並列に配置し、各収納袋部の両端は開口して傘出し入れ口となり、中身の傘の色や柄が一目で分かるようにし、タペストリーの対向しあう上下（又は角）にフック掛け穴を設ける。
【考案の効果】
【０００５】・１本ずつの収納なので傘の出し入れが簡単である。
・収納袋部の中央に窓を設け、傘の色・柄が一目でわかる。
・壁掛け式（タペストリー）なので場所をとらず、インテリアになりおしゃれである。
・タペストリーの長さを変えることにより、傘入れ収納袋部を多数設けることが出来る。
【考案を実施するための最良の形態】
【０００６】以下、本考案の実施の形態を説明する。
（イ）タペストリー（１）に収納袋部（２）を折り疂み傘の収納数分設ける。
（ロ）収納袋部（２）の傘の出し入れ口（３）を湾曲させ、中央に窓（４）を設ける。
（ハ）タペストリー（１）の上部と下部に、フックに掛けるためのフック掛け穴（５）があるので縦長使用でも横長使用でも簡単に掛け留めして使用できる。
本案は以上のような構造でこれを使用するときは、傘出し入れ口（３）から出し入れする。
【図面の簡単な説明】
【０００７】
【図１】本考案の正面図
【図２】本考案の平面図
【図３】本考案の側面図
【符号の説明】
【０００８】  Ｉ  タペストリー
２  収納袋部
３  傘出し入れ口
４  窓
５  フック掛け穴
【図１】
0003171899.tif 000003
【図２】
0003171899.tif 000004
【図３】
0003171899.tif 000005
(57)【要約】      （修正有）【課題】太陽光発電工事で架台を既存スレート屋根に設置する時に出来るスレート屋根材と防水ルーフィングフェルトとの隙間に、防水シーリング材を確実に拡大させて充填できるシーリング材カートリッジの取替えノズルの構造を提供する。【解決手段】ノズルであって、先端側面に台形の４分割スリット穴開け加工の形状で、先端上部に穴開け加工がない形状とする。また、構造は樹脂製品で、一体成型して形成する。【選択図】図２
0003171897.tif 000002
【実用新案登録請求の範囲】
【請求項１】
図２のシーリングカートリッジの取替えノズルで先端側面に４分割スリット穴開け加工の形状とノズル先端上部に穴開け加工がない形状であること
【考案の詳細な説明】
【技術分野】
【０００１】
シーリング材メーカーが取替えノズルとして図１のような取替えノズルを樹脂製で生産しています  ビスの穴やサイディング材の隙間にシーリングを充填する時にシーリング材カートリッジの先端にノズルを取付けます  ノズルは、通常先端をカッターで切ってシーリング材の出る量を調整して使用されています  また日本シーリング材工業会には管理士制度がありシーリング管理士シーリング技術管理士がシーリング工事の施工管理及び技術指導を行い高品質で経済的な施工を指導しています
【背景技術】
【０００２】
通常の取替えノズルはシーリング材を前に押し出す時にシーリング材の押し出る量と幅と奥行きを調整するだけのものです  また使用後清掃に手間がかかるので使い捨てにしていますのでローコストな樹脂製品が一般的に商品化されています
【先行技術文献】
【非特許文献】
【０００３】
【非特許文献１】シーリングカートリッジの取替えノズルは日本シーリング材工業会のシーリングメーカー各１４社で製品化され販売されています  とくに取替えノズルに関して実用新案の申請はされていないようです  一般的な作業環境ではノズルの形状を検討する必要はなく現状で市販されているノズル形状で十分作業できると思います  取替えノズルに関する文献は調査しましたが発見できませんでした
【考案の概要】
【考案が解決しようとする課題】
【０００４】
太陽光発電工事で架台を既存スレート屋根に設置する時に既存スレート屋根にビス穴を開けます次にスレート屋根材と防水ルーフィングフェルトとの隙間０〜５ｍｍ（図４の屋根断面カットサンプル参照）に防水シーリング材を充填しますこの時通常図１のノズルの先端を切ったものではシーリング材を隙間に充填拡大する量が作業員の技量で差が出たり不慣れな作業員だとうまく充填拡大出来ないこと  また屋根材に穴を開ける際防水ルーフィングフェルトにも穴が開きますので防水シーリング材が防水ルーフィングフェルトと野地板の間に入ってしまい想定した防水性能を発揮できない可能性があるなど  防水シーリング作業で防水目的を確実に達成できない場合があります
【課題を解決するための手段】
【０００５】
スレート屋根材と防水ルーフィングフェルトとの隙間０〜５ｍｍに確実に防水シーリング材を充填拡大させる方法（図３防水シーリング材充填拡大の様子をカットサンプルで実験）は図２のようにノズル先端の側面に４分割スリットで穴開け加工して防水シーリング材を横に全方向で円形に充填拡大できるようにします  また図２ノズルの先端上部に穴がないので防水ルーフィングフェルトと野地板の間に防水シーリング材が入り込むことを防止できます
【考案の効果】
【０００６】
図２のノズルで防水シーリングをすると不慣れな作業員でも確実な防水シーリング材を充填拡大作業ができ防水目的が達成できます  また現在ＰＶ各メーカーでは手間がかかるとして隙間に防水シーリング材を充填拡大していません  ブチルゴムでパッキンしていたりまたシーリング材の量が少なく作業されているようですこれでは将来雨漏りの危険があります  図２のノズルを使用すれば作業効率もＵＰし防水性能も向上できますのでＰＶ各社でも採用して頂けるのではないでしょうか  長期的に雨漏の危険性を回避するなら隙間に防水シーリング材を充填拡大しなければいけません  なぜならスレート屋根は変形しやすく長い間に漏れ水や結露水が屋根材と防水ルーフィングフェルトの間に進入して雨漏りを引き起すことが何十年も前から建築業界では常識として知られています  図２のノズル使用で防水シーリングすれば安全確実で長期間雨漏りの危険性を回避できます。
【図面の簡単な説明】
【０００７】
【図１】一般に市販されているシーリングカートリッジ取替えノズルの写真
【図２】実用新案として図１を加工改良したノズルの先端写真  側面に４分割スリットを穴開け加工
【図３】図２のノズルを使用してカットサンプルで防水シーリング材を充填拡大時の作業成果の実験写真
【図４】屋根の構造断面カットサンプルでスレート屋根材と防水ルーフィングフェルトの隙間０〜５ｍｍに防水コーキングをした状態の写真
【図１】
0003171897.tif 000003
【図２】
0003171897.tif 000004
【図３】
0003171897.tif 000005
【図４】
0003171897.tif 000006
【手続補正書】
【提出日】平成23年9月22日(2011.9.22)
【手続補正１】
【補正対象書類名】実用新案登録請求の範囲
【補正対象項目名】全文
【補正方法】変更
【補正の内容】
【実用新案登録請求の範囲】
【請求項１】
ノズルは、直円錐形で、先端側面に台形の４分割スリット穴開け加工の形状で、先端上部に穴開け加工がない形状で、構造は樹脂製品で、一体成型されているシーリング材カートリッジの取替え特殊ノズル。
【手続補正２】
【補正対象書類名】図面
【補正対象項目名】図３
【補正方法】変更
【補正の内容】
【図３】
0003171897.tif 000007
【手続補正３】
【補正対象書類名】図面
【補正対象項目名】図４
【補正方法】変更
【補正の内容】
【図４】
0003171897.tif 000008
(57)【要約】      （修正有）【課題】きわめて立ちやすい茶柱を製造し、ティーパックの外側にこれを装着してなるティーパックを提供する。【解決手段】製茶の中から、ギリギリであるが、必ず確実に沈む茶柱の素であるつぶれた茎を選別する、これを１センチメートルほどに切断して、一方の端１／４ほどをほうじ茶にする。ほうじ茶部分は体積が倍ほどに膨らみ比重が小さくなる。これを湯または水にに投じると、ほうじ茶の部分を上にして、水面から直立、あるいは水中に直立する。この茶柱の素をティーパックの外側に抹茶を溶いた糊で貼り付ける。湯または水を注ぐことで茶柱の元は湯呑に放たれ直立する茶柱となる。【選択図】図１
0003171891.tif 000002
【実用新案登録請求の範囲】
【請求項１】
先端をほうじ茶に加工した（ローストした）茶柱。
【請求項２】
ティーパックに水溶性食品のりで茶柱を張り付け、湯呑に茶柱を立たせる。
【考案の詳細な説明】
【考案の詳細な説明】
【技術分野】
【０００１】本考案は、日常の喫茶時に立つ茶柱の製造と、それを張り付けたティーパックに関するものでる。
【背景技術】
【０００２】喫茶時に、湯呑の中に茶柱が出現し立つことは喫茶習慣が庶民に行き渡る江戸時代から現在まで吉兆として貴ばれている。
【考案の開示】
【考案が解決しようとする課題】
【０００３】近年アミ付き急須が普及するに及び、急須、あるいは土瓶から茶柱が流れ出るこは、ほぼなくなり日常の喫茶時に茶柱が立つ環境は失われた。茶柱が立つための条件は茶柱の両端の比重差であるので、茶の茎を一端を力を加えて軽くしたり、あるいは一端を重くするように茶以外のものを付着させたりする方法が考えられたが、このような茶柱では、立つ確率がごく低い。日常の喫茶習慣の中で意図的に茶柱を立てることを目指す。
【課題を解決するための手段】
【０００４】製茶の中から、ギリギリであるが、必ず確実に沈む茶柱の素となる茎を選別する。これは比較的高価な茶葉に含まれる平たくつぶれた茎である。図１  育ちすぎた茎は木材のようになり浮いてしまう、その中間の白い茎は必ずしも沈まないので適さない。選別した茶柱の素の一方の端１／４ほどをほうじ茶（ロースト）にする。この時できれば茶茎の下の方（根の方向）を焙じるのがよい。湯、あるいは水中ではこの茶茎は、ほうじ茶の部分を上にして、水面から直立、あるいは水中に直立する。この茶柱の素ティーパックの外側に抹茶を溶いた糊で貼り付ける。図２  湯または水を注ぐことで茶柱の素は湯呑に放たれ直立する茶柱となる。
【考案の効果】
【０００５】ティーパックによる喫茶は日常化しているので、ごく一般的な喫茶習慣の中で茶柱が立つことになる。これはは日本人だけが持つ小さな喜びである。ゲン担ぎや各種セレモニーの場でも吉兆を呼ぶアイテムとして重宝されるだろう。
【実施例】
【０００６】湯呑またはコップにこのティーパックを入れ湯あるいは水を注ぐと茶柱がパックから離れて、ほうじ茶側が浮き上がり茶柱が立つ。
【図面の簡単な説明】
【０００７】
【図１】茶柱になる茶葉の部分およびほうじ茶（ローストする）にする茶柱部分。
【図２】茶柱をティーパックに張り付ける。
【図１】
0003171891.tif 000003
【図２】
0003171891.tif 000004
【手続補正書】
【提出日】平成23年8月31日(2011.8.31)
【手続補正１】
【補正対象書類名】実用新案登録請求の範囲
【補正対象項目名】全文
【補正方法】変更
【補正の内容】
【実用新案登録請求の範囲】
【請求項１】
先端をほうじ茶に加工した茶柱。
【請求項２】
請求項１に記載の茶柱を水溶性食品糊で張付けたティーパック。
(57)【要約】      （修正有）【課題】海上に設置する津波センサーの情報発信装置等の電源として使用する海洋温度差発電システムにおいて、付属電源として風力発電又は波力発電システムを結合することで無人運転自立型電源システムとしての運用を可としたハイブリッド発電システムを提供する。【解決手段】海洋温度差発電システム９の液体アンモニア蒸発器３用あたたかい表層水給水用ポンプ２の駆動電源、そして気体アンモニア凝縮器用冷却深層水ポンプ２′駆動電源として風力発電システム１を採用するため結合して、蓄電の有無に依存しない自立運転を計る。風力発電システムに代わる波力発電システム１０を採用しても良い。【選択図】図１
0003171896.tif 000002
【実用新案登録請求の範囲】
【請求項１】
海洋温度差発電システムの液体アンモニア蒸発器用あたたかい表層水給水用ポンプ、駆動電源、そして気体アンモニア凝縮器用冷却深層水給水ポンプ駆動電源に風力発電システムを採用結合して、蓄電の有無に依存しない自立運転を計った海洋上スタンドアロン用途可能のハイブリッド発電システム。
【請求項２】
波力発電システムを具備した事を特徴とする請求項１記載のハイブリッド発電システム。
【考案の詳細な説明】
【技術分野】
【０００１】
本考案は、従来の海洋温度差発電システムに於ける付属電源として風力発電システム又は波力発電システムを結合した事に関する。
【背景技術】
【０００２】
日本の技術を利用したインドの温度差発電の実験工場「サガ・シャクティ」があります。
【考案の開示】
【考案が解決しようとする課題】
【０００３】
しかしながら、海洋温度差発電システムには、あたたかい表層水の温水（１８〜３０℃）で蒸発器で蒸発させる（１３〜２５℃）アンモニアのための給水用ポンプ駆動電源と、仕事をおえた気体アンモニアを凝縮器におくって、給水用ポンプ駆動電源で深層水により冷却する。ポンプ駆動の付属電源（自家発電）システムを備えていないため無人運転自立システムとしての用途が展開しないという欠点がある。
【０００４】
本考案は、上記実情に鑑みてなされたものであり、防災通信システムのマンマシンインターオペラビリティ向上を計った用途の展開のためのハイブリット発電システムとなっている。
【課題を解決するための手段】
【０００５】
上記目的を達成するため考案は、もう１つの自然自家発電システム対策として次の構成を含むことを特徴としている。
海洋温度差システムと風力発電システム又は波力発電システムをあたたかい表層水のためのポンプそして深層水のためのポンプ駆動に採用し結合させたハイブリッド発電システムを構成する。
【考案の効果】
【０００６】
本考案により、その構成に前例のインド洋津波対策海上センサー発信情報管理（危機管理）に欠かせないもう１つの自然自家発電システムを兼ね備えたハイブリッド発電システムができる。
【図面の簡単な説明】
【０００７】
【図１】本考案のハイブリッド発電システムである。
【考案を実施するための形態】
【０００８】
本考案の実施の形態の一例について、図面を参照しながら説明する。
ハイブリッド発電システムは、図１に示すように、風力発電システム１、１’  又は波力発電システム１０、１０’  ポンプ２、２’蒸発器３、タービン４、凝縮器５、発電機６、気体アンモニア７、液体アンモニア８、の海洋温度差（井戸地下水温度差）発電システム９で構成されるものである。
【符号の説明】
【０００９】
１．１’風力発電システム
２．２’ポンプ
３．蒸発器
４．タービン
５．凝縮器
６．発電機
７．気体アンモニア
８．液体アンモニア
９．海洋温度差発電システム
１０．１０’波力発電システム（世界最大級の浮体式発電「実験装置マイテイーホエール」の例有り）
【図１】
0003171896.tif 000003
【手続補正書】
【提出日】平成23年9月15日(2011.9.15)
【手続補正１】
【補正対象書類名】実用新案登録請求の範囲
【補正対象項目名】全文
【補正方法】変更
【補正の内容】
【実用新案登録請求の範囲】
【請求項１】
海洋温度差発電システムの液体アンモニア蒸発器用あたたかい表層水給水用ポンプの駆動電源、そして気体アンモニア凝縮器用冷却深層水ポンプ駆動電源として風力発電システムを採用するため結合して、蓄電の有無に依存しない自立運転を計った海洋上スタンドアロン用途可能のハイブリッド発電システム。
【請求項２】
風力発電システムに代わる波力発電システムを具備した事を特徴とする請求項１に記載のハイブリッド発電システム。
(57)【要約】      （修正有）【課題】不必要な夾雑物はできるだけ採取せず、採取した検体の放出の面でも問題の無い検体採取具を提供する。【解決手段】前部の細い部分の棒状体の先端部に、細長い合成樹脂の発泡体を固定し、該細い部分の棒状体には、把手となる後部の太い部分の棒状体を連設し、発泡体を検体に応じて選択する。【選択図】図１
0003171834.tif 000002
【実用新案登録請求の範囲】
【請求項１】
前部の細い部分の棒状体の先端部に、細長い合成樹脂の発泡体が固定され、該細い部分の棒状体後端には、把手となる後部の太い部分の棒状体が連設されていることを特徴とする検体採取棒。
【請求項２】
前記棒状体は、合成樹脂で形成されている請求項１記載の検体採取棒。
【請求項３】
前記合成樹脂の発泡体は、ポリウレタンの発泡体である請求項１又は２記載の検体採取棒。
【請求項４】
前記合成樹脂の発泡体は、細長い略円筒状である請求項１〜３のいずれかに記載の検体採取棒。
【請求項５】
前記合成樹脂の発泡体は、ウェルダーで棒状体に溶着させる請求項１〜４のいずれかに記載の検体採取棒。
【考案の詳細な説明】
【技術分野】
【０００１】
本考案は、皮膚擦過物、細胞、体液等を採取する検体採取棒に関する。
【背景技術】
【０００２】
従来、皮膚擦過物、細胞、体液等は、綿巻き綿棒、植毛綿棒等で検体採取を行っていたが、それぞれ材質に起因する避け難い欠点があった。
【０００３】
即ち、綿巻き綿棒の場合は、綿球部に採取された検体が、その材質たる繊維によって絡み取られて放出できない場合が生じる問題があった。
【０００４】
また、植毛綿棒の場合は、放出の面では優れているが、狭隘な部位で採取する際、植毛という構造上、不必要な夾雑物まで採取してしまい、本来の目的を阻害してしまう嫌いがあった。従って、従来の検体採取具は、不必要な夾雑物の採取と検体の放出性の点でいずれも不満足であった。
【０００５】
上記要求を十分満たす検体採取棒は、従来全く使用されていないし、全く知られていない。
【考案の開示】
【考案が解決しようとする課題】
【０００６】
この考案は、このような点に着目してなされたものであり、不必要な夾雑物はできるだけ採取せず、採取した検体の放出性の面でも問題の無い検体採取具を提供することを目的とする。
【課題を解決するための手段】
【０００７】
上記目的に沿う本考案の構成は、前部の細い部分の棒状体の先端部に、細長い合成樹脂の発泡体が固定され、該細い部分の棒状体後端には、把手となる後部の太い部分の棒状体が連設されていることを特徴とする。
【０００８】
前記棒状体は、合成樹脂で形成するのが好ましく（請求項２）、合成樹脂の発泡体は、ポリウレタンの発泡体あるのが好ましい（請求項３）。合成樹脂の発泡体は、細長い略円筒状に形成するのが好ましい（請求項４）。合成樹脂の発泡体は、ウェルダーで棒状体に溶着させるのが好ましい（請求項５）。
【考案の効果】
【０００９】
本考案のうち請求項１に記載の考案によれば、検体の種類に応じて発泡体の材質を選定し、柔軟度、発泡密度、発泡径、親水性、疎水性等を自由に設計することによって、不必要な夾雑物は採取せず、検体の放出性に優れた皮膚擦過物、細胞、体液等を採取する理想的な採取棒とすることができる。勿論、単なる合成樹脂の発泡体であっても本考案の目的を達成することができる。
【図面の簡単な説明】
【００１０】
【図１】本考案の検体採取棒の斜視図である。
【符号の説明】
【００１１】
１・・・・・・前方の細い部分
２・・・・・・後方の太い部分
３・・・・・・合成樹脂の発泡体
【考案を実施するための最良の形態】
【００１２】
以下、添付図面に従って、本考案の具体例を更に詳細に説明する。
【００１３】
図１は、本考案の一実施例を示すものであり，前部の細い部分１と後部の太い部分２からなる棒状体の前部の細い部分１の先端部に細長い略円筒状の合成樹脂の発泡体３が固定されている。
【００１４】
太い部分２の後端を持って検体を採取する際、前部の細い部分１が自在に変形し得るように構成されている。
【００１５】
合成樹脂の発泡体は、この実施例ではポリウレタンから形成されている。この発泡体は、適度の硬さを有するので好ましいが、用途に応じてナイロンその他の合成樹脂の材質を使用することができる。
【００１６】
本考案の合成樹脂発泡体の形状は、細長い形状であればよく、特に限定されないが、細長い略円筒状とするのが好ましい。
【００１７】
本考案の検体採取具を製造するには、金型で棒状体を製造し、別に製造した発泡体に突き刺し、ウェルダーで溶着させればよい。勿論、他の公知の方法によって製造しても差し支えない。
【００１８】
要するに本考案の検体採取棒は、狭隘部に挿入可能な形状で且つ適度な柔軟性を持ち尚且つ破損しない粘性のある材料で成型した棒状体に細長い発泡体を装着したものである。また、本考案の検体採取棒は、擦過採取に対応できる強度を有する棒状体に擦過に対応できるように発泡体を装着したものである。
【図１】
0003171834.tif 000003
(57)【要約】      （修正有）【課題】一定量の野菜束をポリエチレン等の柔軟性収納袋にし手際よく収納することが出来る野菜包装装置を提供する。【解決手段】長方形の木製基台１の上面にステンレス製の  長方形のフレーム２が位置し、その基端２ａが軸３にて支持されており、フレーム２の先端２ｂは反転自在となっている。このフレーム２の先端２ｂはコ字型に形成されており、そのコ字型部４の左右片４ａは先端を円弧状に形成している。このコ字型部４の先端にステンレス製のガイド用長受皿の基端５ａがネジにて固定されている。また、左右片４ａの先端に沿う様、ガイド用長受皿は、全体を横断面円弧状に形成している。野菜束は一定量束ねてガイド用長受皿５に載せられ、ポリエチレン等の合成樹脂製にて形成された柔軟性収納袋６の収納口部から挿入収納される。【選択図】図２
0003171839.tif 000002
【実用新案登録請求の範囲】
【請求項１】
基台と、この基台の上面に位置すると共に、先端が反転自在となる様、該基台に基端を軸支持されたフレームと、このフレームの先端に基端を支持固定されると共に、一定量の野菜束を受けるガイド用長受皿と、更にこのガイド用長受皿の先端から挿入されて該ガイド用長受皿と共に、前記一定量の野菜束を収納した状態にてガイド用長受皿から取り出す合成樹脂製の柔軟性収納袋とで成したことを特徴とする野菜包装装置。
【請求項２】
前記基台は、木製の長方形としたことを特徴とする請求項１記載の野菜包装装置。
【請求項３】
前記ガイド用長受皿は、ステンレス製の横断面円弧状としたことを特徴とする請求項１記載の野菜包装装置。
【考案の詳細な説明】
【技術分野】
【０００１】
本考案は一定量の野菜束をポリエチレン等の柔軟性収納袋に手際よく収納する野菜包装装置に関する。
【背景技術】
【０００２】
一般的に栽培地にて収穫した野菜は新鮮さを維持する上でも、手際よく包装収納することが望ましい。
特に、収納袋は薄いポリエチレン等の柔軟性のため、収納袋の両面が密着していて収納口部も同様に塞がれており、この収納口部を開けた状態に維持しつつ、野菜束を挿入しなければならず、又、野菜束が薄い収納袋の内面に突っかかり、作業が容易ではない。
【０００３】
勿論、下記特許文献１が存在するが、単に収納袋の前後面の材質を変え、野菜束を収納する過程での滑りを考慮したに過ぎず、収納口部を開けつつ野菜束を収納するという煩わしさには変わりがない。
【先行技術文献】
【特許文献】
【０００４】
【特許文献１】実用新案登録第３１４０５６６号
【考案の概要】
【考案が解決しようとする課題】
【０００５】
薄いポリエチレン等の柔軟性材料にて製造された収納袋特有の課題である収納口部の閉塞を解決する。
【課題を解決するための手段】
【０００６】
本考案は、基台と、この基台の上面に位置すると共に、先端が反転自在となる様、該基台に基端を軸支持されたフレームと、このフレームの先端に基端を支持固定されると共に、一定量の野菜束を受けるガイド用長受皿と、更にこのガイド用長受皿の先端から挿入されて該ガイド用長受皿と共に、前記一定量の野菜束を収納した状態にてガイド用長受皿から取り出す合成樹脂製の柔軟性収納袋とで成したことを特徴としたものである。
【０００７】
更に本考案は、基台を木製の長方形としたことを特徴としたものである。
【０００８】
又本考案は、ガイド用長受皿をステンレス製の横断面円弧状としたことを特徴としたものである。
【考案の効果】
【０００９】
（１）請求項１により、収納袋は開いた状態にてガイド用長受皿にてスムーズに進行し、ガイド用長受皿に受けられている野菜束もそれに伴って手際よく収納包装できる。
【００１０】
（２）請求項２により、基台は木製の長方形に形成されているので、長方形のガイド用長受皿とのバランスを維持でき、安定した野菜包装作業が行なえる。
【００１１】
（３）請求項３により、ガイド用長受皿はステンレス製の横断面円弧状に形成されているので、野菜束は常にガイド用長受皿の中央寄りに位置し、ガイド用長受皿から食み出すこともなく、而も平面状に対し収納袋がスムーズに挿入進行し、包装作業が効率よく行なえる。
【図面の簡単な説明】
【００１２】
【図１】野菜束を載せた状態を示す斜視図
【図２】同上の収納袋の初期挿入状態を示す斜視図
【図３】同上の側面図
【図４】収納袋を取出す状態を示す斜視図
【図５】同上の更なる収納袋を取り出す状態を示す斜視図
【考案を実施するための形態】
【００１３】
以下本考案を実施形態の図面に基づいて説明すると、図１は野菜束Ｓを載せた状態を示す斜視図であって、長方形の木製基台１の上面にステンレス製の
長方形のフレーム２が位置し、その基端２ａが軸３にて支持されており、フレーム２の先端２ｂは矢印Ｘに示す如く、反転自在となっている。
このフレーム２の先端２ｂはコ字型に形成されており、そのコ字型部４の左右片４ａは先端４ｂを円弧状に形成している。
このコ字型部４の先端４ｂにステンレス製のガイド用長受皿５の基端５ａがネジ６にて固定されている。
【００１４】
而して、左右片４ａの先端４ｂに沿う様、ガイド用長受皿５は、全体を横断面円弧状に形成している。
野菜束Ｓは一定量束ねてガイド用長受皿５に載せられ、ポリエチレン等の合成樹脂製にて形成された柔軟性収納袋６の収納口部６ａから挿入収納される。
【００１５】
次に本考案に係る野菜束Ｓの収納順序を説明すると、図１に示す如く、適宜量の野菜束Ｓをガイド用長受皿５に載せる。
この状態において、図２に示す如く、ガイド用長受皿５の先端５ｂ側から野菜束Ｓと共に柔軟性収納袋６の収納口部口部６ａを挿入して収納する。
更に上記状態から図４及び図５に示す如く、野菜束Ｓを収納した状態にて柔軟性収納袋６をガイド用長受皿５の先端５ｂ側から抜き外し、その野菜束Ｓのみを適正に柔軟性収納袋６に収納するものである。
【符号の説明】
【００１６】
Ｓ    野菜束
１    木製基台
２  フレーム
３  軸
４  コ字型部
５  ガイド用長受皿
６  柔軟性収納袋
【図１】
0003171839.tif 000003
【図２】
0003171839.tif 000004
【図３】
0003171839.tif 000005
【図４】
0003171839.tif 000006
【図５】
0003171839.tif 000007
(57)【要約】      （修正有）【課題】ゴミ袋の風通しが良く環境効果になり焼却のコスト上良いゴミ袋を提供する。【解決手段】袋体にあまぶた付きの切り口を作る事に依って袋体の中の水滴を無くし焼却の負担を減らす。本ゴミ袋によって、草や木の通風による乾燥を促進させると共に雨水の侵入も防ぐことが可能になった。【選択図】図１
0003171837.tif 000002
【実用新案登録請求の範囲】
【請求項１】
プラスチック、ポリエチレン又は不織布のいづれかからなるゴミ袋に複数の略U字状のあまぶた付きの通風穴を設けたことを特徴とするゴミ袋。
【考案の詳細な説明】
【技術分野】
【０００１】
プラスチック、ポリエチレン又は不織布からなるゴミ袋に関する。
【背景技術】
【０００２】
従来ゴミの水切りをするための穴あきゴミ袋が知られている。（例えば特許文献１）
【先行技術文献】
【特許文献】
【０００３】
実用新案登録第３１６１５３６号公報
【考案の概要】
【考案が解決しようとする課題】
【０００４】
特許文献１に記載のゴミ袋は水切りをするための穴である。この穴は例えばフタで覆われているものでなく、外からの雨などの進入を防ぐことのできないものである。従って、雨の当たる屋外では使用が困難であった。
【課題を解決するための手段】
【０００５】
本考案はプラスチック、ポリエチレン又は不織布のいづれかからなるゴミ袋に複数の略U字状のあまぶた付きの通風穴を設けたことを特徴とするゴミ袋である。
【考案の効果】
【０００６】
本考案のゴミ袋によって、草や木の通風による乾燥を促進させると共に雨水の進入も防ぐことが可能になった。市指定４５Ｌ位の袋にはこの穴２のサイズが理想的であり、ゴミ袋の風通しが良く環境効果になり焼却のコスト上良い。
【図面の簡単な説明】
【０００７】
【図１】本考案のゴミ袋を示す斜視図
【図２】図のA部の拡大図
【考案を実施するための形態】
【０００８】
以下、図面に基づいて実施例を説明する。
【実施例】
【０００９】
図１は本考案のゴミ袋を示す斜視図であって、ゴミ袋はポリエチレン製であり袋の大きさは縦８０ｃｍ横６５ｃｍである。このゴミ袋１の両面にあまぶた３を残したままＵ字状穴２をあける。このＵ字状穴２はゴミ袋１の面の横縁から各２０ｃｍ縦方向に下側の縁から１５ｃｍの処に片面４個づつ設けた。
図２は図１のＡ部を拡大した図である。Ｕ字状穴２は縦２.５ｃｍ横５ｃｍとし、あまぶたは切除せず残したままとした。ゴミ袋１に生木、草などを収容したまま屋外に放置した場合に雨が降ってもこのあまぶた３のお陰で袋内に雨水が入りにくく、又風通しも可能となり生木や草の水分が良く蒸発され乾燥しやすくなる。
Ｕ字状穴２は大きすぎるとゴミ袋が布地薄で負担が大きく破損しやすいため縦１〜１０ｃｍ、横１〜１５ｃｍの範囲とする。又、穴２の角が鋭角であると切り口の角から裂け易いため角は丸味をつける、即ちU字状にすると良い。穴２の形状がＶだと風通しが不充分であり、巾の広い略Ｕ字状とした。
地域によっては庭木（生木）雑草芝生など多く街路樹の清掃など特に利用すると良い。  以上述べたように本考案はゴミ袋の資材はポリエチレンの他にプラスチックや不織布等にも使うことが出来る。
【符号の説明】
【００１０】
１…ゴミ袋
２…Ｕ字状穴
３…あまぶた
４…ゴミ投入口
【図１】
0003171837.tif 000003
【図２】
0003171837.tif 000004
(57)【要約】      （修正有）【課題】ソーラーパネルを用いた太陽光発電の電力を用い、施設内の電力として供給し、夜間は前記方法により得た電力をバッテリーに蓄えることで、電力の供給を行うことの出来る電力自立型の植物工場を提供する。【解決手段】建物に設置されたソーラーパネルによって、太陽光発電を行う。太陽光発電された電力はバッテリーＦに蓄えられる。これらは、ＬＥＤライトＣによる照明や植物が行う光合成の為の光源となる。この光源によって、植物生育培地Ｄに植えられた植物Ｅを育成させる。また、バッテリーＦよりの電力は流通バッテリーＧを充電して、他の場所での電力として使われる。【選択図】図２
0003171883.tif 000002
【実用新案登録請求の範囲】
【請求項１】
ソーラーパネルを用いた太陽光発電の電力だけで、施設内の電力を供給できる電力自立型の植物工場。
【請求項２】
施設内の照明および植物の光合成を起こさせる光を、ＬＥＤの光で行う請求項１の電力自立型の植物工場。
【請求項３】
ソーラーパネルを用いた太陽光発電の電力を、施設内に設置されたバッテリーに蓄えることで夜間の電力を供給できる請求項１の電力自立型の植物工場。
【請求項４】
ソーラーパネルを用いた太陽光発電の電力で、余剰となったものを流通用バッテリーで持ち運ぶことにより、他の施設等の電力として供給可能な電力自立型の植物工場。
【考案の詳細な説明】
【考案の詳細な説明】
【技術分野】
【０００１】本考案は植物を工場内で生産する場合の電力に関するものである。
【背景技術】
【０００２】従来、植物工場は電力会社より送電線を用い、電力の供給を受けることで照明等を維持していた。その為、地震等の自然災害や、人為的な停電により電力の供給が制限される場合もあった。
【考案が解決しようとする課題】
【０００３】本考案はソーラーパネルを用いた太陽光発電を利用し、施設内で電力をつくり、植物工場に供給することで電力自立型の植物工場を提供するものである。
【課題が解決する為の手段】
【０００４】本考案において、ソーラーパネルから得られる電力をバッテリーに蓄えることにより、夜間も照明等に利用することができ課題の解決が図られる。
【０００５】本考案においては、更に、電力を蓄えるバッテリーから流通バッテリーに充電することで、他の場所においての電力需要をまかなうことができる。これは、植物工場で作られた野菜等の流通とバッテリーによる電力流通が同等のものとなることを意味している。
【図面の簡単な説明】
【０００６】
【図１】図１は植物工場の外観図である。建物（Ｂ）に設置されたソーラーパネル（Ａ）によって、太陽光発電を行う。
【図２】図２は植物工場内部の説明図面である。（Ａ）によって、太陽光発電された電力はバッテリー（Ｆ）に蓄えられる。これらは、ＬＥＤライト（Ｃ）による照明や植物が行う光合成の為の光源となる。この光源によって、植物生育培地（Ｄ）に植えられた植物（Ｅ）を育成させる。また、Ｆよりの電力は流通バッテリー（Ｇ）を充電して、他の場所での電力として使われる。
【符号の説明】
【０００７】Ａは、ソーラーパネルである。
Ｂは、植物工場の建物である。
Ｃは、ＬＥＤライトである。
Ｄは、植物育成培地である。
Ｅは、植物である。
Ｆは、バッテリーである。
Ｇは、流通バッテリーである。
【図１】
0003171883.tif 000003
【図２】
0003171883.tif 000004
【手続補正書】
【提出日】平成23年8月30日(2011.8.30)
【手続補正１】
【補正対象書類名】実用新案登録請求の範囲
【補正対象項目名】全文
【補正方法】変更
【補正の内容】
【実用新案登録請求の範囲】
【請求項１】
植物工場の天井部等に取り付けられたソーラーパネルを用いた太陽光発電の電力をだけで、施設内の電力を供給できる電力自立型の植物工場。
【請求項２】
植物工場の植物育成施設内に設置されたＬＥＤによって、施設内の照明及び植物の光合成を起こさせることの出来る請求項１の電力自立型の植物工場。
【請求項３】
ソーラーパネルを用いた太陽光発電の電力を、施設内に設置されたバッテリーに蓄えるのとで夜間の電力を供給できる請求項１の電力自立型の植物工場。
【請求項４】
ソーラーパネルを用いた太陽光発電の電力の余剰分を、蓄えることの出来る予備のバッテリーを有する請求項１の電力自立型の植物工場。
(57)【要約】【課題】  本考案は、キャリーバッグの本体、または、引き手支柱部分に、「安全目印バナーロッド」を取り付け、キャリーバッグが誘発する人身事故やトラブルを未然に防ぐ。【解決手段】  本考案は、キャリーバッグ本体１を、引き手支柱２を使って歩行するとき、予め「安全目印バナーロッド」３をケース４からつまみ出し、角度をつけて外側に少し倒し、歩行中「安全目印バナーロッド」３の先端がキャリーバッグ本体１の上部にくる位置まで引き伸ばすことにより、他の歩行者の注意を喚起し、事故やトラブルを未然に防止するものである。任意ではあるが、「安全目印バナーロッド」３の先端に「安全目印バナー」５等を装着することにより、一層、他の歩行者の注意を喚起することができる。また、この「安全目印バナー」は新たな広告媒体として広く産業界で活用することができる。【選択図】図４
0003171882.tif 000002
【実用新案登録請求の範囲】
【請求項１】
キャリーバッグ本体、または引き手支柱の適切な任意の個所に、伸縮自在の「安全目印バナーロッド」を取り付け、歩行時に、他の歩行者へ荷物の存在を知らしめる安全目印として機能させたキャリーバッグ
【考案の詳細な説明】
【技術分野】
【０００１】  本考案は、キャリーバッグ、キャリーケース、ウォーキングバッグ、或いはローリングラッゲージ等（以下、キャリーバッグと総称する）の、本体、または、引き手支柱部分に、伸縮自在の安全目印バナーロッドを取り付けたキャリーバッグに関するものである。
【背景技術】
【０００２】  キャリーバッグは、人が手で引くことによって地表面を転がし、荷物等を運搬、移動している。
【考案の概要】
【考案が解決しようとする課題】
【０００３】  人がキャリーバッグを、手で引いて歩行するとき、そのキャリーバッグは低い位置の地表面近くに存在、移動しているため、他の歩行者の目に入りにくい。特に、混雑している場所では非常に見えにくく、実際、これらのキャリーバッグによって誘発される人身事故やトラブルが、少なからず発生しているのが現状である。そこで、キャリーバッグに、安全目印バナーロッドを取り付けることにより、キャリーバッグを引いて歩行中でも、他の歩行者の注意を喚起し、足元にキャリーバッグがあることを知らせ、前述のような人身事故やトラブルを防止しようとするものである。
【課題を解決するための手段】
【０００４】  本考案は、キャリーバッグの本体、または、引き手支柱部分に、ロシアのマトリョーシカ人形方式のように縮めて短くした状態でケースに格納されている伸縮自在のアンテナ状の細い棒（以下、「安全目印バナーロッド」という）を取り付けたキャリーバッグである。実際に、このキャリーバッグを引いて歩行するときには、この「安全目印バナーロッド」をケースから取り出し、当該歩行者の肩上程度の高さくらいまで引き伸ばした状態で使用する。任意ではあるが、「安全目印バナーロッド」の先端には、短冊状の、人目に付き易い「安全目印バナー」等を取り付けることができる。こうすることにより、混雑した所でも、他の歩行者等に、足元のキャリーバッグの存在を知らせることができ、キャリーバッグが誘発する人身事故やトラブルを未然に防ぎ、上述の課題を解決するものである。
【考案の効果】
【０００５】  上述の様に、本考案の安全目印バナーロッド付きキャリーバッグは、混雑したところでも、容易に足元地表の荷物の存在を知らしめ、他の歩行者等の注意を喚起し、足元の荷物に起因して起こる人身事故やトラブルを未然に防止できる。【０００６】  短冊状の「安全目印バナー」は「安全目印バナーロッド」の先端に取外し可能な状態で取付けることができるもので新たな広告媒体としても広く産業界で応用することができる。
【図面の簡単な説明】
【０００７】
【図１】  本考案の安全目印バナーロッド付キャリーバッグの一実施例を示す正面図である。
【図２】  本安全目印バナーロッド付キャリーバッグの側面図である。
【図３】  本考案の安全目印バナーロッド付キャリーバッグ（安全目印バナー付き）の一実施例を示す正面図である。
【図４】  本安全目印バナーロッド付キャリーバッグ（安全目印バナー付き）の側面図。
【考案を実施するための形態】
【０００８】  キャリーバッグの本体、または、引き手支柱部分（いずれも任意の適切な個所）に、短くした状態で納めた「安全目印バナーロッド」を入れたケースを装着する。実際にこのキャリーバッグを引いて歩行する時には、この「安全目印バナーロッド」をケースから取出し、長く引伸ばした状態で使用する。歩行中に「安全目印バナーロッド」の先端がちょうど荷物の上部に位置するように、「安全目印バナーロッド」を少し倒した状態で使用する。
【実施例】
【０００９】  以下、添付図面に従って一実施例を説明する。
１はキャリーバッグ本体、
２はこのキャリーバッグを引き歩くための、引き手支柱、
３は伸縮自在のアンテナ状の細い棒、つまり「安全目印バナーロッド」で、長さは約１ｍ前後、
４は「安全目印バナーロッド」をロシアのマトリョーシカ人形方式で縮めて短くした状態で収納するためのケースで、取り付け位置はキャリーバッグ本体、或いは、引き手支柱の、いずれも任意の適切な個所とする、
５は「安全目印バナーロッド」の先端に付けた短冊状の「安全目印バナー」で、縦約９ｃｍ以上、横幅約３ｃｍ以上の任意の適切な大きさとする。【００１０】  本考案の一実施例は上述の如き構成からなるものであるから、キャリーバッグ本体１を、引き手支柱２を使って引きながら歩行するときは、予め「安全目印バナーロッド」３をケース４からつまみ出し、角度をつけて外側に少し倒し、歩行中「安全目印バナーロッド」３の先端がキャリーバッグ本体１の上部にくる位置まで引き伸ばす。任意ではあるが、「安全目印バナーロッド」３の先端に「安全目印バナー」５等を装着することができる。
【符号の説明】
【００１１】  １  キャリーバッグ本体
２  キャリーバッグ本体の引き手支柱
３  安全目印バナーロッド
４  安全目印バナーロッドケース
５  安全目印バナー
【図１】
0003171882.tif 000003
【図２】
0003171882.tif 000004
【図３】
0003171882.tif 000005
【図４】
0003171882.tif 000006
【手続補正書】
【提出日】平成23年9月7日(2011.9.7)
【手続補正１】
【補正対象書類名】実用新案登録請求の範囲
【補正対象項目名】全文
【補正方法】変更
【補正の内容】
【実用新案登録請求の範囲】
【請求項１】
キャリ−バッグ本体、又は、キャリ−バッグの引き手支柱部分に、金属、プラスチック、又は、グラスファイバ−等の材質で作った伸縮自在のアンテナ状の最長１メ−トル程度の細い棒を、ケ−スに短く縮めて収めた状態で取り付けたキャリ−バッグで、そのキャリ−バッグ使用時に、ケ−スよりそのアンテナ状の細い棒の先端を摘まんで、角度をつけながらキャリ−バッグ本体側に引っ張り出し、そして引き伸ばし、その先端が歩行時にキャリ−バッグ本体の真上に位置する所で静止させることにより、歩行時に、他の歩行者へ荷物の存在を知らしめる安全目印として機能させたキャリ−バッグとする。
(57)【要約】      （修正有）【課題】少量の生豆を自家焙煎する家庭用焙煎器を提供する。【解決手段】少量のコーヒー生豆を手煎りする焙煎器であり、器内底部１は波形とし、器の鍋部２と蓋部の半分５を一体型とし、豆の出し入れ口として蓋部の前半分６は蓋部半分５と天井、中央部で蓋連結留め金具４によって開閉可能に連結した。【選択図】図４
0003171881.tif 000002
【実用新案登録請求の範囲】
【請求項１】
鍋部分（２）と蓋部分（５）を一体型とし、豆の出し入れ口として（６）が開閉する構成の家庭用焙煎器。
【請求項２】
密閉し熱風で焙煎することを特徴とする、請求項１記載の家庭用焙煎器。
【考案の詳細な説明】
【技術分野】
【０００１】この容器は密閉型とし、生豆の含有されている水分で蒸し焼き状態にし、中の熱風によって、豆の芯までまんべんなく焙煎することができる。
【背景技術】
【０００２】家庭用焙煎器ではアミ、カゴ形式があるが、コーヒーの芯まで煎じる前に焦げることもあり、また生豆からはがれた薄皮（チャブ）に炎がつく、煙が強いなど欠点を有するものであった。【０００３】家庭用焙煎機は焙煎後、機械を冷やすために時間を置く、続けて使用することは避けなければならない、など不都合もある。
【考案の概要】
【考案が解決しようとする課題】
【０００４】家庭用では少量の豆を焙煎するため、パサパサ感が指摘されたり、又焙煎時、生豆からはがれる薄皮が焦げて細かく散ったり、炎が付いたりするため、焙煎の途中で処理し、上記問題点を解決する。
【課題を解決するための手段】
【０００５】蓋の部分（６）を開いて生豆をいれ蓋を閉じて（９）の留め金で固定し中火にかける。【０００６】もち手部分（７）は木製であるため、焙煎時豆を撹拌する際、持ちやすく安全である。【０００７】焙煎時のパサつき感をなくすために容器を（２）（５）（６）の密閉型とする。豆に含有されている水分によって蒸し焼き状態になり、豆の芯まで熱が伝わりふっくらと膨らんで水分がぬける【０００８】容器の中の豆自体がパチパチ音を立て始めたら容器（６）を開いて中の豆をフルイ、又は、目の粗いザルに全部だす。【０００９】フルイの中のコーヒー豆を二度三度振ると、焦げた薄皮が全ておちる。豆だけを再度焙煎器にもどし中火で煎り続ける。【００１０】中火で焙煎中、パチパチ豆の音が止まった時が深入り、その後超深煎りと煎り具合を調節し、ふっくらと風味のある煎りあがりになる。
【考案の効果】
【００１１】この容器は密閉型であるため、生豆の持つ水分で蒸し焼き状態になり、熱風によって豆の芯まで、まんべんなく焙煎することができる。【００１２】種類やグラムを変えて、繰り返し焙煎することで、風味も香味も味わえるブレンドコーヒーも可能であり、短時間で焙煎できるのが特徴である。
【図面の簡単な説明】
【００１３】
【図１】焙煎器平面図
【図２】焙煎器鍋平面図
【図３】焙煎器側面図（蓋開閉部分に留め金を取り付ける）
【図４】焙煎器蓋、開閉側面図
【図５】焙煎器側面図
【符号の説明】
【００１４】１、波型鍋底
２、鍋
３、鍋の淵周り凸部分    ３ａ蓋の淵周り凸部分
４、蓋連結止め金具（輪）
５、蓋、鍋一体部分
６、蓋開閉部分
７、もち手（木製）
８、モクネジ（鍋ともち手を留める）
９、蓋を閉じる留め金
１０、留め金平面図
１１、留め金  さしこみ穴
【図１】
0003171881.tif 000003
【図２】
0003171881.tif 000004
【図３】
0003171881.tif 000005
【図４】
0003171881.tif 000006
【図５】
0003171881.tif 000007
【手続補正書】
【提出日】平成23年7月13日(2011.7.13)
【手続補正１】
【補正対象書類名】実用新案登録請求の範囲
【補正対象項目名】全文
【補正方法】変更
【補正の内容】
【実用新案登録請求の範囲】
【請求項１】
少量のコーヒー生豆を手煎りする焙煎器で有り、器内底部（１）は波形とし、
器の鍋部（２）と蓋部の半分（５）を一体型とし、豆の出し入れ口として蓋部の前半分（６）は蓋部前半分（５）と天井、中央部で蓋連結留め金具によって開閉可能に連結した密閉式の家庭用焙煎器。
【手続補正２】
【補正対象書類名】明細書
【補正対象項目名】０００４
【補正方法】変更
【補正の内容】
【０００４】家庭用では少量の豆を焙煎するためパサパサ感が指摘されたり、焙煎時生豆からはがれる薄皮が焦げて、細かく散ったり炎が付いたりするため、焙煎の途中で処理するなど上記問題点を解決する。
【手続補正３】
【補正対象書類名】明細書
【補正対象項目名】０００８
【補正方法】変更
【補正の内容】
【０００８】容器内の豆自体がパチパチ音をたて始めたら蓋開閉部分（６）を開き中の豆を目のあらいザルに空ける。
【手続補正書】
【提出日】平成23年9月1日(2011.9.1)
【手続補正１】
【補正対象書類名】実用新案登録請求の範囲
【補正対象項目名】全文
【補正方法】変更
【補正の内容】
【実用新案登録請求の範囲】
【請求項１】
少量のコーヒー生豆を手煎りする焙煎器であり、器内底部（１）は波形とし、器の鍋部（２）と蓋部の半分（５）を一体型とし、豆の出し入れ口として蓋部の前半分（６）は蓋部半分（５）と天井、中央部で蓋連結留め金具によって開閉可能に連結した密閉式の家庭用焙煎器。
【手続補正２】
【補正対象書類名】明細書
【補正対象項目名】０００４
【補正方法】変更
【補正の内容】
【０００４】家庭用では少量の豆を焙煎する際、パサパサ感が指摘されたり倍煎時生豆からはがれる薄皮が焦げて、細かく散ったり炎が付いたりするため、焙煎の途中で処理するなど上記問題点を解決する。
【手続補正３】
【補正対象書類名】明細書
【補正対象項目名】０００８
【補正方法】変更
【補正の内容】
【０００８】容器内の豆自体がパチパチ音をたて始めたら、蓋開閉部分を開き中の豆を目の粗いフルイに出し、はがれた薄皮を取り除く。
(57)【要約】      （修正有）【課題】涼風作用を向上させた扇風機を提供する。【解決手段】扇風機本体１と、この扇風機本体の前面側に装備されたガード４と、このガードの任意の防護線に引掛けられる爪を有し、且つ内部に保冷材を収納する合成樹脂製の棒状収納具５とからなる。【選択図】図１
0003171034.tif 000002
【実用新案登録請求の範囲】
【請求項１】
扇風機本体と、
この扇風機本体の前面側に装備されたガードと、
このガードの任意の防護線に引掛けられる爪を有し、且つ内部に保冷材を
収納する合成樹脂製の棒状収納具と
で成したことを特徴とする扇風機。
【請求項２】
前記棒状収納具は、送風方向とほぼ平行する様に、ガードに引掛けたことを特徴とする請求項１記載の扇風機。
【考案の詳細な説明】
【技術分野】
【０００１】
本考案は涼風効果を促進させる様にした扇風機に関する。
【背景技術】
【０００２】
一般的に扇風機は、その涼風をモーター回転に伴う羽の送風にのみに頼っている。
従って、涼風作用の向上には回転数を高めることに頼っているため、高い風圧に対し嫌悪感を抱く場合も否定できない。
【考案の概要】
【考案が解決しようとする課題】
【０００３】
扇風機の回転数のみに頼ることなく、涼風作用の向上を図ることとする。
【課題を解決するための手段】
【０００４】
本考案は、扇風機本体と、この扇風機本体の前面側に装備されたガードと、この
ガードの任意の防護線に引掛けられる爪を有し、且つ内部に保冷材を収納する合成
樹脂製の棒状収納具とで成したことを特徴としたものである。
更に本考案は、棒状収納具を送風方向とほぼ平行する様に、ガードに引掛けたことを特徴としたものである。
【考案の効果】
【０００５】
請求項１により、扇風機からの涼風に加え、棒状収納具の収納保冷材冷気が重畳し、より快適性が促進できる。
【０００６】
請求項２により、棒状収納具は、送風方向とほぼ平行となっているので、  空気抵抗を軽減でき、風音を極力低くできる。
【図面の簡単な説明】
【０００７】
【図１】扇風機の正面図
【図２】同上の拡大部分断面図
【図３】保冷剤の拡大した断面図
【図４】同上の拡大部分断面図
【考案を実施するための形態】
【０００８】
以下本考案を実施形態の図面に基づいて説明する。
図１は扇風機を示す正面図であって、扇風機本体１はモーター部２と、これに連結された羽車３及びこの羽車３の全面側に装備されたガード４とで成している。      このガード４の任意の防護線４ａには合成樹脂にて成型された棒状収納具５を任意数引掛けている。
而して、具体的にはこの棒状収納具５は、例えばポリエチレン等の軟質合成樹脂にて成型され、図３に示す如く、内部５ａに保冷材Ｗを収納している。
この保冷材Ｗは、予め自宅の冷蔵庫にて一定温度以下に保冷されて、使用時に扇風機本体１のガード４に引掛けられる。
勿論、この保冷材Ｗは自宅の水道水を予め注入口６から注入してキャップ７にて封入し、氷結してもよい。
更に、図２に示す如く、棒状収納具５を送風方向Ｘとほぼ平行する様に、ガード４に所望数引掛けることにより、一層の冷風効果がある。
特に湿度が高く高温高湿の環境下の日本の寝苦しい夏に消費電力を低減しつつ
涼風を得ることができ快適性を向上することができ、再冷蔵庫で冷やすし再使用が極めて容易である。
【０００９】
勿論、予備の保冷材があれば取替えることにより長時間冷風の効果が得られ連続して涼風効果が得られることともなる。
【符号の説明】
【００１０】
Ｗ    保冷材
1     扇風機本体
２    モーター部
３    羽車
４    ガード
４ａ  防護線
５    棒状収納具
６    注入口
【図１】
0003171034.tif 000003
【図２】
0003171034.tif 000004
【図３】
0003171034.tif 000005
【図４】
0003171034.tif 000006